(57)【要約】    【課題】  レンズ鏡筒内においてレンズを保持した移動体を移動自在に配し、しかもこの移動体を光軸方向に移動するためのリニアモータのコイルを移動体に取付けるようにした構成において、このコイルに対して給電を行なうフレキシブルプリント基板がズーム移動体の移動に伴う繰返し変形によるストレスを軽減する。    【解決手段】  ズーム移動体３１に取付けられるフレキシブルプリント基板４９を、光軸と直交する平面上の所定の軸線７１の部分で１８０度に折曲げるとともに、折曲げ部分の近傍を補強テープ７２によって補強し、Ｖ字状に折曲げられた部分の開閉によってズーム移動体３１の移動に追随させる。またこのフレキシブルプリント基板４９の先端側の係合穴７７をズーム移動体３１のボス７８に係合させて取付けと位置決めとを行なう。【選択図】      図９
2006184544.tif 000002
【特許請求の範囲】
【請求項１】
レンズを移動体に取付けるとともに、該移動体を鏡筒内において光軸方に移動自在に保持したレンズ装置において、
前記移動体にフレキシブル基板が接続されるとともに、該フレキシブル基板は光軸と直交する平面上の所定の軸線で折曲げられるか切断され、該折曲げ部位または切断部位を接合した部分の両側の角度が変化することによって、前記移動体の光軸方向の移動に追随することを特徴とするレンズ装置。
【請求項２】
前記移動体がリニアモータによって光軸方向に移動されるようになされ、該リニアモータのコイルが前記移動体に取付けられ、該コイルへの給電が前記フレキシブル基板によって行なわれることを特徴とする請求項１に記載のレンズ装置。
【請求項３】
前記フレキシブル基板が前記所定の軸線でほぼ１８０度折曲げられるととも  に、該軸線からこの軸線に対して直角方向に所定の距離だけ折返された両側の部分が互いに接合されることを特徴とする請求項１に記載のレンズ装置。
【請求項４】
前記フレキシブル基板の折返された両側の部分の外側または内側に熱硬化性接着剤を塗布して硬化させ、該折返し部分を補強することを特徴とする請求項３に記載のレンズ装置。
【請求項５】
前記フレキシブル基板の折返された両側の部分の外側または内側にテープ等の固定部材が接合固定されることを特徴とする請求項３に記載のレンズ装置。
【請求項６】
前記フレキシブル基板は光軸と直交する平面上の所定の軸線で切断され、該切断された端部において導体パターンが互いに整合するように接合されることを特徴とする請求項１に記載のレンズ装置。
【請求項７】
前記フレキシブル基板の切断された両側の部分の外側にテープ等の固定部材が接合固定されることを特徴とする請求項６に記載のレンズ装置。
【請求項８】
前記フレキシブル基板の先端部の近傍に穴または切欠きが形成され、該穴または切欠きが移動体の取付け面に形成されたボスと係合されることを特徴とする請求項１に記載のレンズ装置。
【請求項９】
前記穴または切欠きを前記ボスに係合させることによって、前記フレキシブル基板の前記移動体に対する取付けと位置決めとが行なわれることを特徴とする請求項８に記載のレンズ装置。
【請求項１０】
請求項１〜９の何れかに記載のレンズ装置を備える撮像装置。
【発明の詳細な説明】
【技術分野】
【０００１】
本発明はレンズ装置および撮像装置に係り、とくにレンズを移動体に取付けるとともに、該移動体を筐体内において光軸方向に移動自在に保持したレンズ装置、およびレンズ装置を備える撮像装置に関する。
【背景技術】
【０００２】
ビデオカメラやデジタルスチルカメラは、小型軽量化、高倍率ズーム、高速フォーカス、高速ズーム等の多くのテーマについてそれぞれの性能向上が図られている。そしてビデオカメラやデジタルスチルカメラ等の光学機器の移動レンズ群を構成する際に、高精度でかつ高速度に駆動させるために、ズーム機能を持つズーム移動体やフォーカス機能を持つフォーカス移動体にコイルを取付け、これらのコイルをそれぞれマグネットとヨークとによって構成される磁気回路で直線駆動するリニアアクチュエータあるいはリニアモータが用いられている。
【０００３】
ビデオカメラやデジタルスチルカメラ等の光学機器の移動レンズ群を有する、代表的な光学系の構成例を図１３に示す。ここでは前側鏡筒１に対物レンズ２が固定して取付けられ、光軸方向に移動自在なズーム移動体３にズームレンズ４が取付けられ、中間鏡筒５に中間固定レンズ６が固定され、その後側において光軸方向に移動自在なフォーカス移動体７にフォーカスレンズ８が取付けられる。そして後部鏡筒９にはＣＣＤから成る撮像素子１０が取付けられる。また絞りを構成するアイリス１１が上記中間固定レンズ６内に配される。そして上記ズーム移動体３とフォーカス移動体７とをそれぞれ光軸方向に移動するために上側の一対の案内軸１２、１３と、下側の案内軸１４とを備える。
【０００４】
このようなレンズ鏡筒は、ズーム移動体３によってズームレンズ４を移動させることによってズーム変倍による画枠設定を行なう。またフォーカス移動体７によってフォーカスレンズ８を移動させることにより、ズーム移動体３の移動量に合わせてフォーカス調整を行なう。またアイリス１１が適切な露出が得られるように、光学口径を自動調整する。そして映像光を撮像素子１０の表面に結像させ、この撮像素子１０によって光の強弱を電気信号に変換する。
【０００５】
このような撮像用レンズ装置においては、移動体３、７を光軸方向に移動するためにリニアモータを備えるようにし、このリニアモータに対してフレキシブルプリント基板で給電を行なうようにしている。例えば特開２００３−７５７０８号公報には、少なくとも、レンズと巻線コイルを保持したレンズ枠からなる可動部と、該レンズ枠の移動を光軸方向に沿ってガイドするガイド軸と、巻線コイルと作用してレンズ枠を移動させるマグネットを備えたヨーク部とを固定側に有する撮像用レンズ装置であって、可動部と固定体側との間に、巻線コイルへの電源供給配線としてＵ字状またはＶ字状を呈するフレキシブルプリント配線板を配設した構成の撮像用レンズ装置であり、フレキシブル配線板の反発力を軽減しつつ、小型レンズ鏡筒に適用できるようにし、小型レンズ鏡筒内にはフレキシブルプリント配線板用のスペースを設ける必要がなく、小型レンズ鏡筒のサイズをさらに小型化するようにした撮像用レンズ装置が開示されている。
【０００６】
ここで給電用に用いられるフレキシブルプリント基板１６は図２０に示すように屈曲部がＵ字状に形成され、この屈曲部に対してその両側を互いに反対方向に湾曲させることによって、レンズ枠の移動に追随し、これによってレンズ枠がどのような位置にあっても巻線コイルへの電源の供給を安定的に行ない得るようにするものである。
【０００７】
しかるに図１７に示すようにフレキシブルプリント基板１６のＵ字状屈曲部を変形させる構成は、フレキシブルプリント基板１６がレンズ移動枠の直進移動に伴ってＵ字状屈曲部を境にその両側で互いに逆方向に曲げ変形されるために、屈曲部においてはねじり変形が起こる。このようなねじり変形が繰返されると、ねじり変形を受ける屈曲部がストレスを受け、これによってこのフレキシブル基板１６上の導体パターンの断線等、耐久性に問題があることが指摘されている。
【０００８】
またこのようなフレキシブルプリント基板１６の先端側の部分はレンズ移動枠に対して取付けられる。ここで従来は粘着テープや接着剤等によって固定されていたが、とくにリニア駆動のレンズ鏡筒に用いられるフレキは薄くてしかも強度が低いために、組立てや解体時の作業性に劣り、粘着テープ等のコストアップが指摘される問題があった。
【特許文献１】特開２００３−７５７０８号公報
【発明の開示】
【発明が解決しようとする課題】
【０００９】
本願発明の課題は、レンズを移動体によって光軸方向に移動させるとともに、この移動体を移動させるリニアモータのコイルにフレキシブル基板によって給電し、給電するフレキシブル基板の変形によって上記移動体の移動に追随させる場合において、フレキシブル基板が可動範囲内において他の部品と接触したり干渉したりすることなく、安定に駆動することが可能なレンズ装置を提供することである。
【００１０】
本願発明の別の課題は、リニアモータに対する給電を行なうフレキシブル基板の構成を工夫することによって、鏡筒をより小型に構成することを可能にしたレンズ装置を提供することである。
【００１１】
本願発明のさらに別の課題は、移動体によってレンズを移動させるのに連動して、これに追随して変形するフレキシブルプリント基板が受けるストレスを軽減させるようにし、これによって耐久性を改善させるようにしたレンズ装置を提供することである。
【００１２】
本願発明のさらに別の課題は、給電用のフレキシブル基板のレンズ移動体に対する取付けを容易に行ない得るようにしたレンズ装置を提供することである。
【００１３】
本願発明のさらに別の課題は、給電用フレキシブル基板をレンズ移動体に取付けるための組立てや解体時の作業性の向上を図るとともに、フレキシブル基板のコストダウンを可能にしたレンズ装置を提供することである。
【００１４】
本願発明の上記の課題および別の課題は、以下に述べる本願発明の技術的思想、および発明の実施の形態によって明らかにされよう。
【課題を解決するための手段】
【００１５】
本願の主要な発明は、レンズを移動体に取付けるとともに、該移動体を鏡筒内において光軸方向に移動自在に保持したレンズ装置において、
前記移動体にフレキシブル基板が接続されるとともに、該フレキシブル基板は光軸と直交する平面上の所定の軸線で折曲げられるか切断され、該折曲げ部位または切断部位を接合した部分の両側の角度が変化することによって、前記移動体の光軸方向の移動に追随することを特徴とするレンズ装置に関するものである。
【００１６】
ここで、前記移動体がリニアモータによって光軸方向に移動されるようになされ、該リニアモータのコイルが前記移動体に取付けられ、該コイルへの給電が前記フレキシブル基板によって行なわれてよい。またフレキシブル基板が前記所定の軸線でほぼ１８０度折曲げられるとともに、該軸線からこの軸線に対して直角方向に所定の距離だけ折返された両側の部分が互いに接合されてよい。また前記フレキシブル基板の折返された両側の部分の外側または内側に熱硬化性接着剤を塗布して硬化させ、該折返し部分を補強するようにしてよい。また前記フレキシブル基板の折返された両側の部分の外側または内側にテープ等の固定部材が接合固定されてよい。
【００１７】
また前記フレキシブル基板は光軸と直交する平面上の所定の軸線で切断され、該切断された端部において導体パターンが互いに整合するように接合されてよい。また前記フレキシブル基板の切断された両側の部分の外側にテープ等の固定部材が接合固定されてよい。
【００１８】
また前記フレキシブル基板の先端部の近傍に穴または切欠きが形成され、該穴または切欠きが移動体の取付け面に形成されたボスと係合されてよい。また前記穴または切欠きを前記ボスに係合させることによって、前記フレキシブル基板の前記移動体に対する取付けと位置決めとが行なわれてよい。
【００１９】
撮像装置に関する発明は、上記の何れかの構成に係るレンズ装置を備える撮像装置に関するものである。
【００２０】
本願発明の好ましい態様は、光軸方向に直線移動可能なレンズ保持枠をリニアモータによって駆動するようにし、この駆動手段としてのリニアモータに電気的に接続するフレキシブル基板が取付けられており、フレキシブル基板はレンズ枠のズーム移動あるいはフォーカス移動に伴って変形しながら追従して移動するリニアモータ駆動用のレンズ鏡筒において、直線移動するレンズ枠に取付けられるフレキシブル基板が、光軸に対して直交する平面に含まれる平行な軸線のところで１８０度に折返して配置されており、折返した上記の軸を中心とした任意の範囲をテープ等の固定部材で固定するか折返し軸の外側、内側の一方あるいは両側の任意範囲を接着剤によって固定するようにしたレンズ鏡筒であって、直線移動するレンズ保持枠に取付けられるフレキシブル基板の先端部は、レンズ移動枠の２本もしくは１本のボスに圧入されることによって、位置決めと固定とを兼用されるようにしたレンズ鏡筒に関するものである。
【００２１】
このような態様のリニア駆動のレンズ鏡筒によると、レンズ枠に保持されたフレキシブル基板が折返し部を持ち、レンズ枠の移動時にはフレキシブル基板が折返し部を軸として開閉しながらレンズ枠の移動に追随するようになり、これによってフレキシブル基板の可動スペースをより小さくし、しかもフレキシブル基板の可動範囲内において他の部品との接触・干渉がないために、安定した駆動が可能であることから、リニア駆動を用いた小型鏡筒に有効な方式になる。また折返し部を補強することによって、安価でしかも大型化することがなく、ズーミング時に折返し部に受けるストレスを軽減させ、フレキの耐久性をも向上させることができるようになる。またレンズ枠に取付けられるフレキをレンズ枠に設けられた１本あるいは２本のボスに圧入して位置決め固定させることによって、組立て時や解体時における作業性の向上と、フレキシブル基板のコストダウンにつながる。
【発明の効果】
【００２２】
本願の主要な発明は、レンズを移動体に取付けるとともに、該移動体を鏡筒内において光軸方向に移動自在に保持したレンズ装置において、移動体にフレキシブル基板が接続されるとともに、該フレキシブル基板は光軸と直交する平面上の所定の軸線で折曲げられるか切断され、該折曲げ部位または切断部位を接合した部分の両側の角度が変化することによって、移動体の光軸方向の移動に追随するようにしたものである。
【００２３】
従ってこのようなレンズ装置によれば、レンズを取付けた移動体を移動させる際に、この移動体に接続されたフレキシブル基板は光軸と直交する平面上の所定の軸線の位置において折曲げられるか切断されているために、このような折曲げ部分あるいは切断部分を中心とする開閉のための変形によって移動体の光軸方向の変形に追随するようになる。従ってフレキシブル基板には単純な曲げ変形の力のみしか作用せず、これによってフレキシブル基板に加わるストレスが軽減され、このフレキシブル基板上の導体パターンが断線することがなくなる。またこのような構成によれば、折曲げ部分または切断部分における開閉動作によって移動体の移動に追随するために、フレキシブル基板のコンパクト化が可能になる。
【発明を実施するための最良の形態】
【００２４】
以下本願発明を図示の実施の形態によって説明する。図１〜図７は本実施の形態に係る撮像用レンズ装置を示すものであって、この撮像用レンズ装置は図１および図２に示すように、ほぼ直方体状をなす合成樹脂製の外筐２０を備える。外筐２０の前面側の開口は前面板２１によって閉じられるようになっており、しかも前面板２１には図１〜図３に示すように前側鏡筒２２が連設されている。そして前側鏡筒２２に対物レンズ２３が固定保持されている。これに対して外筐２０の背面側の開口は背面板２４によって閉塞されるようになっている。
【００２５】
外筐２０の内部にはその上側に左右一対の案内用主軸２６、２７が配設され、下側には案内用副軸２８が配されている。これらの主軸２６、２７および副軸２８は、前面板２１と背面板２４とによってその前端部と後端部とがそれぞれ支持されるようになっている。
【００２６】
上記案内用主軸２６と案内用副軸２８とによって、図３〜図５に示すズーム移動体３１が光軸方向に移動自在に取付けられている。ズーム移動体３１はレンズ枠であって、ズームレンズ３２を保持している。また案内用主軸２７と案内用副軸２８とによって図３、図４、および図６に示すようにフォーカス移動体３３が光軸方向に移動自在に配されている。そしてフォーカス移動体３３によってフォーカスレンズ３４が固定支持されている。
【００２７】
また外筐２０内にはその光軸方向の中間位置であってレンズ移動体３１とフォーカス移動体３３との間に隔壁３６（図３参照）が固定配置され、この隔壁３６にはその中心部に前方に突出するように中間鏡筒３７が突設されている。そして中間鏡筒３７には中間固定レンズ３８が固定保持されている。また中間固定レンズ間には絞り装置を構成するアイリス３９（図１参照）が挿入されるようになっている。
【００２８】
次に上記ズーム移動体３１を移動するためのズーム用リニアモータ４１の構成について説明すると、図４および図５に示すように、ズーム用リニアモータ４１は角筒状をなすコイル４２を備え、このコイル４２がズーム移動体３１に固定されるとともに、案内用主軸２６とほぼ平行に配されるガイドコア４３の外周部に摺動自在に取付けられる。そして上記ガイドコア４３の両端に接するように、ほぼコ字状をなすヨーク４４が上方から取付けられる。そしてヨーク４４の下面にはマグネット４５が固着され、このマグネット４５の磁束が上記ヨーク４４およびガイドコア４３を通過することによって磁気回路を形成するようになっている。
【００２９】
上記コイル４２を備えるズーム移動体３１の外側面上には位置検出用マグネット４６が取付けられており、この位置検出用マグネット４６を取付け板４７（図２参照）に取付けられた磁気抵抗素子４８によって検出するようにしている。なお上記コイル４２はズーム移動体３１の背面側であって後述する撮像素子６１側の面に取付けられたフレキシブル基板４９によって給電される。またヨーク４４は図１および図２に示すように外筐２０の上面に形成されたスリット５０内に受入れられる。
【００３０】
次にフォーカスレンズ３４を保持するフォーカス移動体３３の移動のためのフォーカス用リニアモータ５１について、図３、図４、図５、図６によって説明する。このリニアモータ５１はフォーカス移動体３３に取付けられた角筒状のコイル５２を備えている。角筒状のコイル５２は案内用主軸２７に平行に配されたガイドコア５３によって摺動自在に案内される。そしてガイドコア５３の上面に接するようにほぼコ字状をなすヨーク５４が取付けられる。ヨーク５４は図１および図２に示すように、外筐２０の上面のスリット６０に保持される。そして上記ヨーク５４の下面には棒状のマグネット５５が取付けられるようになっている。
【００３１】
上記コイル５２を取付けているフォーカス移動体３３の側面には、位置検出用マグネット５６が取付けられ、このマグネット５６を、取付け板５７（図１参照）の内側に固定された磁気抵抗素子５８によって検出するようにしている。またフォーカス移動体３３の対物レンズ側の側面にはフレキシブル基板５９が取付けられ、このプリント基板５９によってコイル５２に対する給電がなされるようになっている。
【００３２】
このようなレンズ構成を備える光学系の結像部には撮像素子６１が配されている。この撮像素子６１で光学像を電気的な撮像信号に変換する。撮像素子６１としては、ＣＣＤイメージャが使用される。撮像素子６１から読出された映像信号は、図７に示すＡ／Ｄ変換器６２によってデジタル信号に変換され、信号処理プロセッサ６３に供給されて適正な映像信号とする処理が行われ、この処理が行われた映像信号が撮像装置から出力される。またこの撮像装置が映像信号記録部を備えたビデオカメラである場合には、得られた映像信号がその記録部で記録される。
【００３３】
信号処理プロセッサ６３内には、撮像信号の所定の成分、例えば輝度の高域成分を検波する検波回路を備え、この検波回路の検出出力を、撮像装置の撮像動作を制御するコントローラ６４に供給する。コントローラ６４では、この検出信号のレベルに基づいて、フォーカスの状態、すなわち合焦状態を判定し、その判定した合焦状態がジャストフォーカス状態となるように自動フォーカス制御を行なう。
【００３４】
このフォーカス制御は、コントローラ６４からサーボ回路６６にフォーカス制御用レンズ３４を駆動するためのサーボ制御処理を行なってモータ５１の駆動信号を生成させ、この駆動信号をサーボモータ５１に供給し、フォーカスレンズ３４の可動位置を調整することにより行なう。
【００３５】
またコントローラ６４には、ズーム操作キーの操作情報が供給され、このズーム操作キーの操作情報に基づいて、画枠設定用のズームレンズ３２の目標位置情報をサーボ回路６６に供給し、サーボ回路６６でその目標位置にズームレンズ３２を駆動するためのサーボ処理を行なってモータ４１の駆動信号を生成させ、その駆動信号をモータ４１に供給し、ズームレンズ３２の可動位置を調整する。
【００３６】
この場合にズーム操作キーの操作状態によって、サーボモータ４１による画枠設定用ズームレンズ３２の駆動速度を可変できる構成にしており、最も高速で駆動した際には、ワイド端（すなわち最も焦点距離が短い状態）からテレ端（すなわち最も焦点距離が長い状態）に画枠設定用ズームレンズ群３２が移動する時間が、例えば１秒未満の非常に短い高速駆動ができるようにしている。
【００３７】
フォーカス調整用レンズ３４はフォーカスを合わせる被写体位置が同じであっても、画枠（焦点距離）が変化するときに、焦点距離に対して位置を変化させないと、ジャストフォーカス状態を維持できない。この焦点距離とジャストフォーカス状態のフォーカス調整用レンズ３４の位置との対応関係については、コントローラ６４に接続されたメモリ６５に予め必要な情報が設定されている。そして焦点距離が変化したときに、コントローラ６４はメモリ６５の記憶情報を読出して、サーボ回路６６にフォーカス制御用のサーボ制御信号を供給し、フォーカス調整用レンズ３４の可動位置を調整する。
【００３８】
この場合にサーボモータ５１によるフォーカスレンズ３４の駆動についても、非常に高速駆動できるようにしてあり、例えば上述したように画枠設定用ズームレンズ３２を高速で可動させたときに、その移動に追従したフォーカスレンズ３４の可動位置を補正してジャストフォーカス状態を維持する処理についても、高速で行なえるようにしている。
【００３９】
次にこのような撮像用レンズ装置において、上記ズーム用リニアモータ４１のコイル４２、およびフォーカス用リニアモータ５１のコイル５２に対する給電の構造について説明する。これらは実質的にほぼ同一の構成になっているために、以下ズーム用リニアモータ４１のコイル４２に対する給電について説明する。
【００４０】
図８〜図１１に示すように、コイル４２に対する通電は、フレキシブルプリント基板４９によって行なわれる。ここでフレキシブルプリント基板４９の特徴は、その長さ方向の所定の位置であって、このレンズ装置の光軸と直交する平面上の所定の軸線７１で１８０度折曲げられ、これによって図に示すようにＶ字状に屈曲される。なお屈曲される部位には、例えば補強テープ７２等によってその外側から補強が施される。あるいはまた適当な熱硬化性樹脂によって硬化されて補強が行なわれる。
【００４１】
従ってこのようなＶ字状に屈曲されたフレキシブルプリント基板４９を用いたコイル４２に対する給電の構造によると、案内用主軸２６および案内用副軸２８を中心とするズーム移動体３１の移動に伴うフレキシブルプリント基板４９の屈曲部における形状の変化は、図１０および図１１に示すようになり、屈曲部を中心とするＶ字状の形状の、両側の角度の変化によって行なわれる。従ってこのような屈曲されたＶ字状のフレキシブルプリント基板４９は、固定位置を中心とするＶ字状の変形に伴う単純な曲げ変形しか発生せず、ねじり変形は発生しなくなる。従ってこのフレキシブルプリント基板４９に形成されている導体パターンに対する不自然な応力の付加が回避できる。
【００４２】
このようにズームレンズ３２を保持するズーム移動体３１はコイル４２および変形可能なフレキシブルプリント基板４９をそれぞれ保持し、２本の案内軸２６、２８に案内されながら光軸方向に移動可能になっている。そしてマグネット４５を保持したコ字状をなすヨーク４４に対して両端が接するようにガイドコア４３が配される。そして筒状に構成されたコイル４２をガイドコア４３が貫通し、これによってズーム移動体３１を移動させるリニアモータ４１が構成される。
【００４３】
ここでフレキシブルプリント基板４９はその先端側の部分に一対の係合孔７７が形成され（図１６参照）、これらの係合孔７７がズーム移動体３１の側面に形成されたボス７８に圧入されて位置決め固定される（図１７参照）。そしてこのフレキシブル基板４９の長さ方向の中間位置が、このレンズ装置の光軸と直角をなす平面上に画成される軸線７１を中心として１８０度に折返された状態になる。そして折返し軸７１を中心とした外側、あるいは内側の一方もしくは両側には、任意に補強テープ７２によって補強されるか、紫外線硬化型接着剤や熱硬化性接着剤によって硬化される。これによってフレキシブルプリント基板５９の折返し部分が補強される。
【００４４】
従ってズーミング動作のためにズーム移動体３１が移動する際には、フレキシブルプリント基板４９の折返し部分は図１０に示す折畳まれた状態と、図１１に示す開いた状態とにその形態を変化させる。このときに開閉動作の中心部は、上記折返しの中心部である軸線７１よりも接着補強範囲の領域だけずれた位置になる。従ってフレキシブルプリント基板４９の折返しの中心軸７１と開閉動作の中心位置とが互いにずれることになる。なおフレキシブルプリント基板４９の折返し部の接着強度については、折返し部を中心とした任意範囲にテープやクリップ等の固定部材を使用するようにしてもよい。
【００４５】
このような構成によると、ズーム移動体３１に取付けられたフレキシブルプリント基板４９が折返し部分を有し、ズーム移動体３１の移動時にフレキシブルプリント基板４９が折返し部を含む接着固定部を中心として開閉しながら移動に追随させる方式は、フレキシブルプリント基板４９の可動スペースを最小にし、しかもフレキシブルプリント基板４９の可動範囲内において他の部品との接触や干渉がなくなるために、安定した駆動が可能になる。従ってリニア駆動を用いた小型の鏡筒には、極めて有効な方式になる。しかも本実施の形態においては、折返し部を補強することによって、安価でしかも大型化することがなく、ズーム動作時に折返し部が受けるストレスを軽減させ、フレキシブルプリント基板４９の耐久性を向上させることができる。またズーム移動体３１の側面にフレキシブルプリント基板４９の先端部を取付ける場合に、図１６および図１７に示すように、フレキシブルプリント基板４９に設けられた円形の係合穴７７にズーム移動体３１の１本あるいは２本のボス４８に圧入して位置決め固定させることによって、組立てや解体時の作業性の向上が図られ、さらにはフレキシブルプリント基板の接続のコストダウンにつながる。
【００４６】
図１２は別の構成を示す。ここではフレキシブルプリント基板４９がその所定の位置で切断される。この位置は光軸に直交する平面上の軸線７１と対応する位置である。そしてこの位置においてフレキシブルプリント基板４９の切断端が互いに接合される。この接合は、フレキシブルプリント基板４９上の配線パターン７３が互いに整合する状態で接合され、外側から補強テープ７２によって補強される。従って補強テープ７２によって補強された接着固定部位を中心として図１３に示すようにＶ字状に接続されることになる。従ってズーム移動体３１の移動に伴って上記Ｖ字状の角度が互いに変化するように移動に追随することになる。
【００４７】
図１４は、３箇所の位置でそれぞれフレキシブルプリント基板４９を、Ｖ字状に折曲げた構成である。ここでもそれぞれの折曲げ部位において、外側から補強テープ７２によって補強が行なわれる。従ってこのような構成によれば、とくにズーム移動体３１の移動ストロークが大きい場合においても、その大きなストロークにフレキシブルプリント基板４９が無理なく吸収して追随できるようになり、とくにＶ字状屈曲部における大きな開閉角度を必要としなくなる。従って補強テープ７２によって接着固定された端部の部分における導体パターン７３に対する開閉時の応力の軽減が可能になる。
【００４８】
図１５は、さらに別の実施の形態を示す。この実施の形態は、フレキシブルプリント基板４９をその長さ方向の３箇所の位置でそれぞれ切断するとともに、切断位置において外側から補強テープ７２によって補強し、これによって３箇所のＶ字状の接続部を形成したものである。このような構成によっても、図１４に示す変形例と同様の作用効果を奏することが可能になる。
【００４９】
このようなフレキシブルプリント基板４９のズーム移動体３１の側面に対する取付けは、上述の如く図１６に示すフレキシブルプリント基板４９の円形の係合穴７７を利用し、これらの円形の係合穴７７を、図１７に示すようにズーム移動体３１のボス７８に圧入することによって行われる。このような構成によれば、フレキシブルプリント基板４９に対する取付けと位置決めとが同時に達成される利点がある。
【００５０】
ここでフレキシブルプリント基板４９の先端側の部分に一対の係合穴７７を形成する代わりに、図１８に示すように単一の円形の係合穴７７と半円形の切欠き７９とを形成してもよい。あるいはまた図１８Ｂに示すようにフレキシブルプリント基板４９の先端部に一対の矩形の係合穴８０を形成し、これらの係合穴８０をズーム移動体３１の側面のボス７８に係合させるようにしてもよい。
【００５１】
以上本願発明を図示の実施の形態によって説明したが、本願発明は上記実施の形態によって限定されることなく、本願に含まれる発明の技術的思想の範囲内で各種の変更が可能である。例えば上記実施の形態は、ズームレンズ３２を保持するズーム移動体３１に接続されるフレキシブルプリント基板４９に関するものであるが、本願発明はその他各種の移動レンズを有するレンズ装置に適用可能である。
【産業上の利用可能性】
【００５２】
本願発明は、ビデオカメラ、デジタルカメラ、携帯情報端末用カメラ、その他各種の撮像装置の撮像用レンズ装置として広く利用可能である。
【図面の簡単な説明】
【００５３】
【図１】撮像用レンズ装置の外観斜視図である。
【図２】撮像用レンズ装置の右側面を上側にした状態の外観斜視図である。
【図３】同レンズ装置の外筐を取外した状態の側面図である。
【図４】レンズ装置の要部の斜視図である。
【図５】図４に示す要部を対物レンズ側から見た正面図である。
【図６】図４に示すレンズ装置を撮像素子側から見た背面図である。
【図７】レンズ装置のシステム構成を示すブロック図である。
【図８】ズーム移動体の移動のための構成を示す要部斜視図である。
【図９】ズーム移動体に対するフレキシブルプリント基板の取付けを示す要部斜視図である。
【図１０】フレキシブルプリント基板が閉じた状態のズーム移動体の平面図である。
【図１１】フレキシブルプリント基板が開いた状態のズーム移動体の平面図である。
【図１２】変形例に係るフレキシブルプリント基板の要部分解斜視図である。
【図１３】同フレキシブルプリント基板の要部平面図である。
【図１４】別の実施の形態のフレキシブルプリント基板の要部平面図である。
【図１５】さらに別の実施の形態のフレキシブルプリント基板の要部平面図である。
【図１６】フレキシブルプリント基板の端部の構成を示す要部平面図である。
【図１７】同フレキシブルプリント基板のズーム移動体に対する取付けを示す要部縦断面図である。
【図１８】フレキシブルプリント基板の端部の変形例の構成を示す平面図である。
【図１９】従来のレンズ装置の要部縦断面図である。
【図２０】従来のフレキシブルプリント基板の変形の動作を示す要部斜視図である。
【符号の説明】
【００５４】
１…前側鏡筒、２…対物レンズ、３…ズーム移動体、４…ズームレンズ、５…中間鏡筒、６…中間固定レンズ、７…フォーカス移動体、８…フォーカスレンズ、９…後部鏡筒、１０…撮像素子（ＣＣＤ）、１１…アイリス、１２、１３…案内軸（上）、１４…案内軸（下）、１６…フレキシブルプリント基板、２０…外筐、２１…前面板、２２…前側鏡筒、２３…対物レンズ、２４…背面板、２６、２７…案内用主軸、２８…案内用副軸、３１…ズーム移動体、３２…ズームレンズ、３３…フォーカス移動体、３４…フォーカスレンズ、３６…隔壁、３７…中間鏡筒、３８…中間固定レンズ、３９…アイリス（絞り装置）、４１…ズーム用リニアモータ、４２…コイル、４３…ガイドコア、４４…ヨーク、４５…マグネット、４６…位置検出用マグネット、４７…取付け板、４８…磁気抵抗素子、４９…フレキシブルプリントケーブル、５０…スリット、５１…フォーカス用リニアモータ、５２…コイル、５３…ガイドコア、５４…ヨーク、５５…マグネット、５６…位置検出用マグネット、５７…取付け板、５８…磁気抵抗素子、５９…フレキシブルプリントケーブル、６０…スリット、６１…撮像素子（ＣＣＤ）、６２…Ａ／Ｄ変換器、６３…信号処理プロセッサ、６４…コントローラ、６５…メモリ、６６…サーボ回路、７１…軸線、７２…補強テープ、７３…導体パターン、７７…円形の係合穴、７８…ボス、７９…切欠き、８０…矩形の係合穴
【図１】
2006184544.tif 000003
【図２】
2006184544.tif 000004
【図４】
2006184544.tif 000005
【図５】
2006184544.tif 000006
【図６】
2006184544.tif 000007
【図７】
2006184544.tif 000008
【図８】
2006184544.tif 000009
【図９】
2006184544.tif 000010
【図１０】
2006184544.tif 000011
【図１１】
2006184544.tif 000012
【図１２】
2006184544.tif 000013
【図１３】
2006184544.tif 000014
【図１４】
2006184544.tif 000015
【図１５】
2006184544.tif 000016
【図１６】
2006184544.tif 000017
【図１７】
2006184544.tif 000018
【図１８】
2006184544.tif 000019
【図１９】
2006184544.tif 000020
【図２０】
2006184544.tif 000021
【図３】
2006184544.tif 000022
【手続補正書】
【提出日】平成17年1月4日(2005.1.4)
【手続補正１】
【補正対象書類名】図面
【補正対象項目名】図７
【補正方法】変更
【補正の内容】
【図７】
2006184544.tif 000023